(57)【要約】      （修正有）【課題】構造が簡単な低背型ケーブル用コネクタ装置を提供する。【解決手段】ケーブル用コネクタ装置は、第１コネクタ１００と第２コネクタ２００とを含み、前記第１コネクタは、複数のケーブル３に接続し、主体部と、前記主体部の両側方にそれぞれ位置する側壁と、を有する第１絶縁本体１と、前記第１絶縁本体内に装着される複数の第１導電端子とを含む。前記第２コネクタ２００は、前記第１コネクタに嵌合され、第２絶縁本体と、前記第２絶縁本体内に装着される複数の第２導電端子とを含む。前記第１コネクタの主体部には、前記第２コネクタの基部を収容する収容空間が画成され、かつ、前記主体部と側壁との間に、前記第２コネクタの接続部を収容する開放溝がそれぞれ形成され、前記第１コネクタが前記第２コネクタと嵌合した際に、前記第１絶縁本体の側壁が前記第２コネクタの外周部を覆っている。【選択図】図２
0003119722.tif 000002
【実用新案登録請求の範囲】
【請求項１】
主体部と、前記主体部の両側方にそれぞれ位置する側壁と、を有する第１絶縁本体と、前記第１絶縁本体内に装着される複数の第１導電端子と、を含み、複数のケーブルに接続する第１コネクタと、
基部と、前記基部の両端部に形成される接続部と、を含む第２絶縁本体と、前記第２絶縁本体内に装着される複数の第２導電端子と、を含み、
前記第１コネクタに嵌合される第２コネクタとを含むケーブル用コネクタ装置において、
前記第１コネクタの主体部に、前記第２コネクタの基部を収容する収容空間が画成され、かつ、前記主体部と側壁との間に、前記第２コネクタの接続部を収容する開放溝がそれぞれ形成され、
前記第１コネクタが前記第２コネクタと嵌合した際に、前記第１絶縁本体の側壁が前記第２コネクタの外周部を覆っていることを特徴とするケーブル用コネクタ装置。
【請求項２】
前記第１絶縁本体の主体部は、ほぼＵ字形状を呈し、
前壁と、
後壁と、
前記前壁及び後壁を連接する頂壁と、を含み、
前記収容空間は、前記前壁と、後壁と頂壁とが包囲されるように形成されることを特徴とする、請求項１に記載のケーブル用コネクタ装置。
【請求項３】
前記収容空間は、前記開放溝に連通していることを特徴とする、請求項２に記載のケーブル用コネクタ装置。
【請求項４】
前記収容空間には、前記第１導電端子を装着されるように、前壁と頂壁とを貫通する第１収容溝が形成されることを特徴とする、請求項１に記載のケーブル用コネクタ装置。
【請求項５】
前記第１絶縁本体の主体部は、前記両側壁にそれぞれ近接する箇所には、前記開放溝に連通するように通溝が形成されることを特徴とする、請求項１から請求項４までのいずれか１項に記載のケーブル用コネクタ装置。
【請求項６】
前記第１コネクタは、前記第１絶縁本体の外周部に覆う一体に成型されるシェルを含み、
前記第２コネクタは接地部材を含み、
前記シェルには、前記通溝を貫通する前記接地部材に接続するように指部が形成されることを特徴とする、請求項５に記載のケーブル用コネクタ装置。
【考案の詳細な説明】
【技術分野】
【０００１】
本考案はケーブル用コネクタ装置に関し、特に同軸ケーブル用コネクタ装置に関するものである。
【背景技術】
【０００２】
従来のケーブル用コネクタ装置は、特許文献１に示すように、該ケーブル用コネクタ装置は、プラグコネクタと、ソケットコネクタと、を含み、その中、プラグコネクタは、第１絶縁本体と、第１絶縁本体内に装着される複数の第１導電端子と、第１導電端子に電気的に接続する複数のケーブルと、第１絶縁本体の外周部を覆う第１シェルと、を含み、前記第１絶縁本体は、略Ｔ字形状を呈し、主体部と、該主体部から垂直に突設される枠体の嵌合部と、を含む。
【０００３】
前記ソケットコネクタは、回路基板に実装され、第２絶縁本体と、第２絶縁本体に装着される第２導電端子と、第２絶縁本体の前部を覆う第２シェルと、を含む。前記第２絶縁本体は、基部と、基部の中央に垂直に突設する前記プラグの嵌合部に相接する接続部と、前記基部の端縁から上向きに延在する壁部と、を含み、前記壁部と第２シェルとは、前記プラグコネクタの嵌合部が収容される収容空間ならなり、該ソケットコネクタの接続部が前記嵌合部内に収容される。こうして、前記プラグコネクタがソケットコネクタに嵌合される際に、前記第１導電端子と第２導電端子が電気的に接続することにより、前記ケーブルと回路基板と、が電気的に接続することができる。
【特許文献１】米国特許第６，５００，０１３号明細書
【考案の開示】
【考案が解決しようとする課題】
【０００４】
しかしながら、電子技術の発展に従って、今、当該業界では電子に、短く、小さく、軽く、薄いなどの厳しい要求がある。前記特許文献１に開示されるケーブル用コネクタ装置は、プラグコネクタの第１絶縁本体がＴ字形状を呈することで、プラグコネクタがソケットコネクタに嵌入された時、ケーブル用コネクタ装置が実装高さが大きくなった。こうして、ケーブル用コネクタ装置の低背化に限界が生じていた。
【０００５】
本考案は、構造が簡単な低背型ケーブル用コネクタ装置を提供することを目的とする。
【課題を解決するための手段】
【０００６】
本考案のケーブル用コネクタ装置は、第１コネクタと第２コネクタと、を含み、前記第１コネクタは、複数のケーブルに接続し、主体部と、前記主体部の両側方にそれぞれ位置する側壁と、を有する第１絶縁本体と、前記第１絶縁本体内に装着される複数の第１導電端子と、を含む。前記第２コネクタは、前記第１コネクタに嵌合され、第２絶縁本体と、前記第２絶縁本体内に装着される複数の第２導電端子と、を含む。前記第１コネクタの主体部には、前記第２コネクタの基部を収容する収容空間が画成され、かつ、前記主体部と側壁との間に、前記第２コネクタの接続部を収容する開放溝がそれぞれ形成され、前記第１コネクタが前記第２コネクタと嵌合した際に、前記第１絶縁本体の側壁が前記第２コネクタの外周部を覆っている。
【考案の効果】
【０００７】
従来技術に比べ、本考案は以下の利点を有する。本考案に係るケーブル用コネクタ装置は、第１コネクタの第１絶縁本体には、前記第２コネクタの第２絶縁本体を収容する収容空間が画成されることにより、ケーブル用コネクタ装置は、実装高さが小さくなり、低背化が実現される。かつ、収容空間が画成される第１絶縁本体は、構造が簡単で製造し易くなる。
【考案を実施するための最良の形態】
【０００８】
図１〜図３に示すように、本考案の実施状態において、ケーブル用コネクタ装置１０００は、互いに嵌合する第１コネクタ１００と、第２コネクタ２００と、を含む。
【０００９】
図４と図５を参照するとともに、図２と図３を参照すると、前記第１コネクタ１００は、第１絶縁本体１と、第１絶縁本体１に装着される複数の第１導電端子２と、前記第１導電端子に電気的に接続する複数のケーブル３と、前記ケーブル３の先端に位置する接地板４と、第１絶縁本体１の外部を覆うシェル５と、を含む。
【００１０】
前記第１絶縁本体１は、長手方向に沿って延在し、主体部１１と、該主体部１１の両側方にそれぞれ形成される側壁１２と、前記主体部１１と両側壁１２との間にそれぞれ形成される開放溝１０と、を含む。前記主体部１１は、ほぼＵ字形状を呈し、相対する前壁１１１と、後壁１１２と、前壁１１１と後壁１１２と、を連接する頂壁１１３と、該等壁が包囲するように画成される収容空間１１０と、含む。
【００１１】
その中、前壁１１１には、前向きの複数の前凸部１１４が突出するように形成され、後壁１１２には、後向きの一対の後凸部１１５が突出するように形成される。前記各側壁１２には、外向きの側凸部１２２がそれぞれ突出するように形成される。前記収容空間１１０には、前壁１１１と頂壁１１３を貫通し、複数の同じピッチを隔てる第１収容溝１１６が形成され、かつ、前壁１１１に位置する各第１収容溝１１６は、凹部１１７が前壁１１１に向かって窪んで形成される。また、前記主体部１１１の側壁１２に連接する箇所には、前記開放溝１０に連通する通溝１１８がそれぞれ形成される。
【００１２】
図４と図５を参照すると、前記第１導電端子２は、ほぼＬ字形状を呈し、前記ケーブル３に接続するテール部２１と、該テール部２１から前向きに折曲延在している延伸部２２と、該延伸部２２から垂直に下向きに延在している第１コンタクト部２３と、該第１コンタクト部２３の末端から前向きに向けて折曲するように延在する保持部２４と、を含み、前記第１コンタクト部２３の相対する両側には、外向きに突出する突起２５が形成される。
【００１３】
前記ケーブル３は、長手方向に沿って並設され、各ケーブル３は、中心に位置する導体３１と、該導体３１を覆う絶縁体３２と、該絶縁体３２を覆うスバイラル３３と、該スバイラル３３を覆うジャケット３４と、をそれぞれ含む。前記ケーブル３の先端部（参照付号なし）は、前記第１導電端子２のテール部２１に接続するように、絶縁体３２を剥して導体３１が露出し、かつ、外部のジャケット３４を剥してスバイラル３３が露出し、該露出したスバイラル３３は、前記接地板４に半田付けされる。
【００１４】
図４と図５を参照すると、前記シェル５は、金属板で打抜き加工を通じて一体に成型され、前記第１絶縁本体１の外部を覆っている。シェル５は、頂板５３と、該頂板５３の両側から折曲し延在するように形成される前板５１及び後板５２と、後板５２の相対する両側から前板５１に向けて延在するように形成され、かつ前記頂板５３の両端にそれぞれ位置する側板５４と、を含む。前記前板５１と、後板５２と、側板５４とには、前記第１絶縁本体１の前凸部１１４と後凸部１１５と側凸部１２２にそれぞれ対応して、前開口５１１と、後開口５２１と、側開口５４１と、がそれぞれ形成される。
【００１５】
また、前記前板５１の各前開口５４１の間には、プレスによる打抜き加工をして、係合片５１２がそれぞれ形成され、該等係合片５１２の末端に近接する箇所には、内向きの係止部５１３が折曲し形成される。前記頂壁５３の前記側板５４に近接する箇所には、下向きに折曲するように延在し、かつ前記側板５４の内側に位置する略Ｓ字形状を呈する指部５３１がそれぞれ形成され、各指部５３１は、上部５３２が前記第１絶縁本体１の通溝１１８内に装着され、下部が第２コネクタ２００に接続する接地部５３３である。前記後板５２は、前記頂板５３に近接する箇所には、前記後開口５２１に連通する切口５２２が形成され、そして、前記頂板５３には、前記切口５２２に連通する複数の欠け口５３４が形成される。
【００１６】
前記第１コネクタ１００取付時に、まず、前記第１導電端子２が前記第１絶縁本体１の第１収容溝１１６にそれぞれ装着され、第１導電端子２の突起２５が第１絶縁本体１の前壁１１１の凹部１１７に干渉して係合し、かつ第１導電端子２の保持部２４が第１絶縁本体１の前壁１１１の下縁に当接する。次に、長手方向に沿って並設されるケーブル３は、後方から前記シェル５の切口５２２を貫通し、前記ケーブル３の接地板４がケーブル３のスバイラル３３の両側に半田付けされ、ケーブル３の導体３１は、前記第１導電端子２のテール部２１に半田付けされる。
【００１７】
最後に、前記第１絶縁本体１の前凸部１１４と後凸部１１５と側凸部１２２とが、前記シェル５の前開口５１１と後開口５２１と側開口５４１とにそれぞれ係合することにより、前記シェル５は、第１絶縁本体１の外部を覆い、かつ、シェル５の指部５３１は、第１絶縁本体１の通溝１８に装着される。また、前記接地板４は、前記シェル５に接続するとともに、シェル５の欠け口５３４に露出する。
【００１８】
図６と図７を参照すると、前記第２コネクタ２００は、第２絶縁本体６と、前記第２絶縁本体６内に装着される複数の第２導電端子７と、前記第２絶縁本体６の両側部にそれぞれ組み付けられる一対の接地部材８と、を含む。
【００１９】
前記第２絶縁本体６は、長手方向に沿って延在し、基部６１と、該基部６１の一側面に形成される固持体６２と、基部６１の両端部にそれぞれ形成される接続部６３と、基部６１の底壁に形成されるベース部６４と、基部６１及びベース部６４を貫通して形成される複数の第２収容溝６５と、を含み、前記固持体６２には、前表面から窪みが形成される複数の固持溝６２１が形成される。前記接続部６３には、基部６１の両端部から外部に向けるようにそれぞれ延在する一対の接続アーム６３１と、一対の接続アーム６３に形成される接続空間６３２と、接続アーム６３１の根部（参照付号なし）を垂直に貫通し、前記接続空間６３２に連通する一対の接続溝６３３と、を含む。
【００２０】
前記第２導電端子７は、テール部７１と、テール部７１の下部から後向きに延伸する半田付け部７２と、前記テール部７１の上部から折曲して延在する弾性部７３と、前記弾性部７３から延在する第２コンタクト部７４と、を含み、前記テール部７１の両側には、前記第２収容溝６５に係合できる突起７５がそれぞれ形成される。
【００２１】
前記接地部材８は、Ｌ字形状を呈し、主板部８１と、前記主板部８１から外向きに延在するように形成される耳部８２と、主板部８１から折曲し二股状に延びる延伸部８３と、を含み、前記主板部８１の外表面には、円形状を呈する窪み部８４が形成される。
【００２２】
前記第２コネクタ２００の取付時に、まず、第２導電端子７が前記第２絶縁本体６の第２収容溝６５に装着され、第２導電端子７のテール部７１に形成される突起７５が第２収容溝６５に干渉して係合することにより、前記第２導電端子７は第２絶縁本体６内に保持され、この時、第２導電端子７の第２コンタクト部７４は、前記基部６１の側面から突出しかつ固持体６２の上方に露出し、第２導電端子７の半田付け部７２は、第２絶縁本体６の基部６１の底壁から突出するように、回路基板（図示せず）に半田付けされる。次に、前記接地部材８は、第２絶縁本体６の接続部６３に係合し、その耳部８２が接続部６３の接続溝６３３内に収容され、その窪み部８４が前記接続空間６３２に露出し、その延伸部８３が接続空間６３２から突出するように回路基板に半田付けされる。
【００２３】
図１乃至図３に示し、同時に図８を参照すると、ケーブル用コネクタ装置１０００は前記第１コネクタ１００と第２コネクタ２００とが互いに嵌合する過程で、前記第２絶縁本体６の基部６１が前記第１絶縁本体１の収容空間１１０内に受容され、前記固持体６２が前記第１絶縁本体１の前壁１１１と前凸部１１４からなる下部空間（図８に示し、参照付号なし）に取り付けられる。前記第２コネクタ２００の接続部６３は、前記第１絶縁本体１に形成される開放溝１０内に収容され、かつ、前記第１絶縁本体１の両側壁１２が前記第２絶縁本体６の長手方向の外周部を覆っている。また、前記ベース部６４が第１絶縁本体１の底壁を突出することで、該ケーブル用コネクタ装置１０００の半田付けの作業空間は増加する。
【００２４】
図８を参照すると、前記第１コネクタ１００と第２コネクタ２００との嵌合した際に、前記第２導電端子７の第２コンタクト部７４は、第１導電端子２の第１コンタクト部２３に電気的に接続され、第２導電端子７の弾性部７３が圧縮されることにより、前記コンタクト部７４、３４の間の接続力が保証される。また、第２コネクタ２００は、前記第１コネクタ１００のシェル５内に覆われ、シェル５の係合片５１２の係止部５１３が前記第２絶縁本体６の固持体６２の固持溝６２１に係合することにより、前記第２絶縁本体６がシェル５内に固持される。かつ、前記シェル５の板底端縁（参照付号なし）が、前記第２絶縁本体６のベース部６４と同一面に実質的に位置することで、前記第２コネクタ２００が前記シェルに包囲される。
【００２５】
前記シェル５の指部５３１は、前記第２絶縁本体６の接続部６３の接続空間６３２内に収容され、かつ、指部５３１の接地部５３３が前記接地部材８の窪み部８４内に係止され、こうして、ケーブル用コネクタ装置１０００の接地ラインを設け、通信回線信号がノイズを受けず、信号の伝送が保証される。
【００２６】
従来技術に比べ、本考案に係るケーブル用コネクタ装置１０００の前記第１コネクタ１００は、前記第１絶縁本体１に第２コネクタ２００の第２絶縁本体６を収容する収容空間１１０が画成されることで、前記第２コネクタ２００が第１コネクタ１００に嵌入された時、ケーブル用コネクタ装置１０００は実装高さが小さくなり、低背化が実現される。
【００２７】
以上本考案についてよい実施の形態を参照して詳細に説明したが、実施形態はあくまでも例示的なものであり、これらに限定されるものではない。また前記の説明は、本考案に基づきなし得る細部の修正或は変更など、いずれも本考案の実用新案登録請求の範囲に属するものである。
【図面の簡単な説明】
【００２８】
【図１】本考案に係るケーブル用コネクタ装置の組立斜視図である。
【図２】本考案に係るケーブル用コネクタ装置の分解斜視図であり、第１コネクタと第２コネクタとを含む。
【図３】図２に示すケーブル用コネクタ装置の他の角度から見た分解斜視図である。
【図４】本考案に係るケーブル用コネクタ装置の第１コネクタの分解斜視図である。
【図５】図４に示すケーブル用コネクタ装置の第１コネクタの他の角度から見た分解斜視図である。
【図６】本考案に係るケーブル用コネクタ装置の第２コネクタの分解斜視図である。
【図７】図６に示すケーブル用コネクタ装置の第２コネクタの他の角度から見た分解斜視図である。
【図８】図１に示すケーブル用コネクタ装置のＡ-Ａ線で切断した断面図である。
【符号の説明】
【００２９】
１  第１絶縁本体
２  第１導電端子
３  ケーブル
４  接地板
５  シェル
６  第２絶縁本体
７  第２導電端子
８  接地部材
１０  開放溝
１１  主体部
１２  側壁
２１、７１  テール部
２２  延伸部
２３  第１コンタクト部
２４  保持部
２５、７５  突起
３１  導体
３２  絶縁体
３３  スバイラル
３４  ジャケット
５１  前板
５２  後板
５３  頂板
５４  側板
６１  基部
６２  固持体
６３  接続部
６４  ベース部
６５  第２収容溝
７２  半田付け部
７３  弾性部
７４  第２コンタクト部
１１０  収容空間
１１１  前壁
１１２  後壁
１１３  頂壁
１１４  前凸部
１１５  後凸部
１１６  第１収容溝
１１７  凹部
１１８  通溝
１２２  側凸部
１００  第１コネクタ
２００  第２コネクタ
５１１  前開口
５１２  係合片
５１３  係止部
５２１  後開口
５２２  切口
５３１  指部
５３２  上部
５３３  接地部（下部）
５３４  欠け口
５４１  側開口
６２１  固持溝
６３１  接続アーム
６３２  接続空間
６３３  接続溝
１０００  ケーブル用コネクタ装置
【図１】
0003119722.tif 000003
【図２】
0003119722.tif 000004
【図３】
0003119722.tif 000005
【図４】
0003119722.tif 000006
【図５】
0003119722.tif 000007
【図６】
0003119722.tif 000008
【図７】
0003119722.tif 000009
【図８】
0003119722.tif 000010